(57)【要約】【課題】  テレビジョン放送を受信可能な携帯型端末機の消費電力を抑制し、使用可能時間の短縮化を防止することができるヘッドセットシステムを提供する。【解決手段】  携帯電話端末機１０及びヘッドセット２０は、それぞれ、所定の消費電力を要するブルートゥース規格に準拠した通信方式に基づいて音声通信を行うブルートゥースモジュール１１，２１と、その消費電力よりも低消費電力を要する通信方式に基づいて音声通信を行う通信モジュール１２，２２とを有する。携帯電話端末機１０は、受信したテレビジョン放送を構成する音声を、通信モジュール１２，２２を介してヘッドセット２０に対して送信し、テレビジョン放送の受信中に音声通信をともなう他の処理を行う必要が生じた場合には、通信モジュール１２，２２を介した音声通信からブルートゥースモジュール１１，２１を介した音声通信に切り替え制御する。【選択図】  図１
2007124525.tif 000002
【特許請求の範囲】
【請求項１】
テレビジョン放送を受信して当該テレビジョン放送を構成する映像を表示手段に表示可能な携帯型端末機と、
前記携帯型端末機の使用者の身体に装着され、当該携帯型端末機との間で音声通信を行うヘッドセットとを備え、
前記携帯型端末機及び前記ヘッドセットは、それぞれ、所定の消費電力を要する第１の無線通信方式に基づいて音声通信を行う第１の無線通信手段と、前記消費電力よりも低消費電力を要する第２の無線通信方式に基づいて音声通信を行う第２の無線通信手段とを有し、
前記携帯型端末機は、
受信した前記テレビジョン放送を構成する音声を、前記第２の無線通信手段を介して前記ヘッドセットに対して送信し、前記テレビジョン放送の受信中に音声通信をともなう他の処理を行う必要が生じた場合には、前記第２の無線通信手段を介した音声通信から前記第１の無線通信手段を介した音声通信に切り替え制御する制御手段を有することを特徴とするヘッドセットシステム。
【請求項２】
前記第１の無線通信手段は、ブルートゥース規格に準拠した通信方式に基づいて音声通信を行うものであり、
前記第２の無線通信手段は、周波数３２２ＭＨｚ以下の微弱電波通信方式に基づいて音声通信を行うものであることを特徴とする請求項１記載のヘッドセットシステム。
【請求項３】
前記第１の無線通信手段は、ブルートゥース規格に準拠した通信方式に基づいて音声通信を行うものであり、
前記第２の無線通信手段は、赤外線通信方式に基づいて音声通信を行うものであることを特徴とする請求項１記載のヘッドセットシステム。
【請求項４】
前記ヘッドセットは、前記携帯型端末機としての前記携帯電話端末機による通話時に、前記第１の無線通信方式に基づいて、当該携帯電話端末機によって受話した音声を受信して前記使用者に聴取可能に出力するとともに、前記使用者によって発話された音声を当該携帯電話端末機に対して送信するものであり、
前記制御手段は、前記携帯電話端末機によって受信した前記テレビジョン放送を構成する音声を、前記第２の無線通信手段を介して前記ヘッドセットに対して送信し、前記テレビジョン放送の受信中に着信があった場合には、前記第２の無線通信手段を介した音声通信から前記第１の無線通信手段を介した音声通信に切り替え制御することを特徴とする請求項１記載のヘッドセットシステム。
【発明の詳細な説明】
【技術分野】
【０００１】
本発明は、携帯電話端末機等をはじめとする携帯型端末機の使用者の身体に装着され、当該携帯型端末機との間で音声通信を行うヘッドセットとを備えたヘッドセットシステムに関する。
【背景技術】
【０００２】
従来から、携帯電話端末機を直接把持せずにハンズフリーでの通話を行うために、使用者の身体に装着されるヘッドセットが利用されている（例えば、特許文献１等参照。）。かかるヘッドセットは、ヘッドホンやイヤホン等の音声出力部とマイク等の音声入力部とから構成され、携帯電話端末機と所定のコードケーブル等を介して接続されることにより、当該携帯電話端末機によって受話した音声を受信して使用者に聴取可能に出力するとともに、使用者によって発話された音声を当該携帯電話端末機に対して送信することにより、通話を実現するものである。
【０００３】
また、いわゆるブルートゥース（Bluetooth（登録商標））をはじめとする近年の近距離無線通信規格の普及にともない、所定のコードケーブル等を介さずに、携帯電話端末機との間で無線による音声通信を行うヘッドセットも開発されている。
【特許文献１】特開２００４−２２１９１２号公報
【発明の開示】
【発明が解決しようとする課題】
【０００４】
ところで、近年の携帯電話端末機の進歩は著しいものがあり、テレビジョン放送を受信することが可能なものも開発されている。ヘッドセットを使用している使用者は、携帯電話端末機によって受信したテレビジョン放送を構成する映像については、当該携帯電話端末機の表示画面を介して視認するとともに、音声については、コードケーブル等を介してヘッドセットにおけるヘッドホンやイヤホン等の音声出力部を介して聴取することになる。
【０００５】
しかしながら、コードケーブルを介して携帯電話端末機と接続されるタイプのヘッドセットは、コードケーブルの存在が使用者に煩わしい感を与え、取り扱いの悪化を招来するという問題がある。
【０００６】
そこで、上述した無線による音声通信を行うヘッドセットを利用し、テレビジョン放送を構成する音声を聴取することが提案されている。
【０００７】
しかしながら、携帯電話端末機においては、かかる無線通信を行うタイプのヘッドセットを使用した場合には、通話時は勿論のことテレビジョン放送の受信時にも、ブルートゥース規格に準拠した通信方式に基づいて音声通信を行うことから、極めて大きな電力を消費することになり、使用可能時間が短くなってしまうという問題があった。
【０００８】
本発明は、このような実情に鑑みてなされたものであり、テレビジョン放送を受信可能な携帯電話端末機をはじめとする携帯型端末機の消費電力を抑制し、使用可能時間の短縮化を防止することができるヘッドセットシステムを提供することを目的とする。
【課題を解決するための手段】
【０００９】
上述した目的を達成する本発明に係るヘッドセットシステムは、テレビジョン放送を受信して当該テレビジョン放送を構成する映像を表示手段に表示可能な携帯型端末機と、前記携帯型端末機の使用者の身体に装着され、当該携帯型端末機との間で音声通信を行うヘッドセットとを備え、前記携帯型端末機及び前記ヘッドセットは、それぞれ、所定の消費電力を要する第１の無線通信方式に基づいて音声通信を行う第１の無線通信手段と、前記消費電力よりも低消費電力を要する第２の無線通信方式に基づいて音声通信を行う第２の無線通信手段とを有し、前記携帯型端末機は、受信した前記テレビジョン放送を構成する音声を、前記第２の無線通信手段を介して前記ヘッドセットに対して送信し、前記テレビジョン放送の受信中に音声通信をともなう他の処理を行う必要が生じた場合には、前記第２の無線通信手段を介した音声通信から前記第１の無線通信手段を介した音声通信に切り替え制御する制御手段を有することを特徴としている。
【００１０】
このような本発明に係るヘッドセットシステムにおいては、テレビジョン放送の視聴のように単に音声を聴取する目的の場合には、消費電力が低い第２の無線通信方式に基づいて、携帯型端末機とヘッドセットとの間で音声通信を行う一方で、テレビジョン放送の受信中に着信のような音声通信をともなう他の処理を行う必要が生じた場合には、消費電力が高い第１の無線通信方式に基づいて、携帯型端末機とヘッドセットとの間で音声通信を行うように切り替える。したがって、本発明に係るヘッドセットシステムにおいては、常に第１の通信方式に基づいた音声通信を行う必要がなくなることから、携帯型端末機の消費電力を抑制することができ、使用可能時間の短縮化を防止することができる。
【発明の効果】
【００１１】
本発明によれば、低消費電力でテレビジョン放送の視聴と通話等の他の処理とを両立させることができ、使用可能時間を損なうことなく、快適なテレビジョン放送の視聴が可能となる。
【発明を実施するための最良の形態】
【００１２】
以下、本発明を適用した具体的な実施の形態について図面を参照しながら詳細に説明する。
【００１３】
本発明の実施の形態として示すヘッドセットシステムは、図１に示すように、携帯電話端末機１０と、この携帯電話端末機１０の使用者の身体に装着されるヘッドセット２０とを備える。
【００１４】
携帯電話端末機１０は、テレビジョン放送を受信して当該テレビジョン放送を構成する映像を表示画面に表示可能に構成される。また、携帯電話端末機１０は、いわゆるブルートゥース（Bluetooth（登録商標））規格に準拠した通信方式に基づいて音声通信を行うブルートゥースモジュール１１と、周波数３２２ＭＨｚ以下の微弱電波通信方式または赤外線通信方式に基づいて音声通信を行う通信モジュール１２とを有する。ここで、ブルートゥースは、微弱電波通信または赤外線通信に比べ、通信距離が長く、障害物に対する耐性が強い通信方式であり、微弱電波通信または赤外線通信のように機器同士を直進性の見通しの位置関係となるように設定する必要がない通信方式である。一方、周波数３２２ＭＨｚ以下の微弱電波通信または赤外線通信は、ブルートゥース規格に準拠した通信よりも低消費電力で信号の送受信を行うことが可能な通信方式である。
【００１５】
一方、ヘッドセット２０は、携帯電話端末機１０との間で音声通信を行うことが可能に構成され、当該携帯電話端末機１０に対応して、ブルートゥース規格に準拠した通信方式に基づいて音声通信を行うブルートゥースモジュール２１と、周波数３２２ＭＨｚ以下の微弱電波通信方式または赤外線通信方式に基づいて音声通信を行う通信モジュール２２とを有する。
【００１６】
このような携帯電話端末機１０及びヘッドセット２０から構成されるヘッドセットシステムにおいては、通話時には、ブルートゥース規格に準拠した通信方式に基づいて、携帯電話端末機１０とヘッドセット２０との間で音声通信を行う。すなわち、ヘッドセット２０は、携帯電話端末機１０による通話モードの場合には、ブルートゥースモジュール１１，２１間で通信路を確立し、ブルートゥース規格に準拠した通信方式に基づいて、当該携帯電話端末機１０によって受話した音声を受信し、ヘッドホンやイヤホン等を介して使用者に聴取可能に出力するとともに、使用者によって発話された音声を、マイク等を介して取り込み、当該携帯電話端末機１０に対して送信する。
【００１７】
また、ヘッドセットシステムにおいては、テレビジョン放送の受信モードの場合には、周波数３２２ＭＨｚ以下の微弱電波通信方式または赤外線通信方式に基づいて、携帯電話端末機１０とヘッドセット２０との間で音声通信を行う。すなわち、ヘッドセット２０は、周波数３２２ＭＨｚ以下の微弱電波または赤外線による通信モジュール１２，２２間で通信路を確立し、微弱電波方式または赤外線通信方式に基づいて、携帯電話端末機１０によって受信したテレビジョン放送を構成する音声を受信し、ヘッドホンやイヤホン等を介して使用者に聴取可能に出力する。
【００１８】
ここで、携帯電話端末機１０は、図示しないＣＰＵ（Central Processing Unit）の制御のもとに、テレビジョン放送の受信中に着信があった場合には、微弱電波通信または赤外線通信モジュール１２，２２を介した音声通信からブルートゥースモジュール１１，２１を介した音声通信に切り替え制御する。すなわち、ヘッドセットシステムにおいては、テレビジョン放送の受信モードの場合には、その音声を単に聴取する目的を実現すればよいことから、その音声を消費電力が低い微弱電波通信または赤外線通信を用いて携帯電話端末機１０からヘッドセット２０に対して送信して使用者に聴取させ、テレビジョン放送の視聴中に着信があった場合には、ブルートゥース規格に準拠した通信に切り替え、携帯電話端末機１０とヘッドセット２０との間で通話時の音声通信を行うことにより、通常の通話モードと何ら変わることがない通話を実現する。
【００１９】
なお、微弱電波通信または赤外線通信は、上述したように、携帯電話端末機１０とヘッドセット２０とを、直進性の見通しの位置関係となるように設定する必要があるが、テレビジョン放送を視聴している場合には、携帯電話端末機１０の表示画面に表示された映像を視認するために、使用者の顔の前に当該携帯電話端末機１０が位置することになる。したがって、ヘッドセットシステムにおいては、携帯電話端末機１０と、使用者の耳等に装着されるヘッドセット２０とを、自然に直進性の見通しの位置関係となるように保つことができ、微弱電波通信または赤外線通信の動作に影響が及ぶことはない。
【００２０】
このように、本発明の実施の形態として示すヘッドセットシステムにおいては、ブルートゥース規格に準拠した通信のみを用いてテレビジョン放送の視聴を行った場合には、消費電力が高いことに起因して、テレビジョン放送の視聴のみならず、通話自体も短時間しか行うことができなくなる場合があるところ、テレビジョン放送の視聴のように単に音声を聴取する目的の場合には、消費電力が低い周波数３２２ＭＨｚ以下の微弱電波通信または赤外線通信を用いて音声通信を行い、通話時のみ、ブルートゥース規格に準拠した通信を用いることにより、携帯電話端末機１０の消費電力を抑制することができ、使用可能時間の短縮化を防止することができる。したがって、このヘッドセットシステムにおいては、低消費電力でテレビジョン放送の視聴と通話とを両立させることができ、使用可能時間を損なうことなく、快適なテレビジョン放送の視聴が可能となる。
【００２１】
なお、本発明は、上述した実施の形態に限定されるものではない。例えば、上述した実施の形態では、ブルートゥース規格に準拠した通信方式と周波数３２２ＭＨｚ以下の微弱電波通信または赤外線通信方式とを用いるものとして説明したが、本発明は、所定の消費電力を要する無線通信方式と、例えば単純な方式の微弱電波を用いる通信方式等、その消費電力よりも低消費電力を要する無線通信方式とを用いる場合にも適用することができる。
【００２２】
また、上述した実施の形態では、携帯電話端末機を用いるものとして説明したが、本発明は、例えば携帯型のテレビジョン受像機等、テレビジョン放送を受信して当該テレビジョン放送を構成する映像を表示画面に表示可能であり、テレビジョン放送の受信中に音声通信をともなう他の処理を行う必要が生じた場合には、低消費電力を要する無線通信方式に基づく音声通信から高消費電力を要する無線通信方式に基づく音声通信に切り替え制御することができる携帯型端末機であれば、いかなるものであっても適用することができる。
【００２３】
このように、本発明は、その趣旨を逸脱しない範囲で適宜変更が可能であることはいうまでもない。
【図面の簡単な説明】
【００２４】
【図１】本発明の実施の形態として示すヘッドセットシステムの構成を示す図である。
【符号の説明】
【００２５】
１０  携帯電話端末機、１１，２１  ブルートゥースモジュール、１２，２２  第２の無線通信モジュール、２０  ヘッドセット
【図１】
2007124525.tif 000003